(57)【要約】【課題】  簡易な手法を用いてダスト処理を行うことによって、複雑で設備コストのかかる構成を要することなく、燃焼設備から発生する排ガス中の清浄化における圧力損失の増大等を防止し、簡便かつ効果的な排ガスの清浄化処理を可能とし、省力化され、エネルギー効率の高い排ガス処理を行うこと。【解決手段】  燃焼設備１から発生する排ガスにリン化合物が導入されるリン導入部Ｐ１と、リン導入部Ｐの下流側に設けられリン化合物と混合された排ガスが導入される集塵装置５と、集塵装置５において分離・捕集されたダストの一部Ｄａが、燃焼設備１から集塵装置５までの排ガス流路のいずれかに導入される循環流路８と、リン導入部Ｐ１から導入されるリン導入量および循環流路８から導入されるダスト導入量を制御する制御部９と、を備えること。【選択図】  図１
2016043315.tif 000002
【特許請求の範囲】
【請求項１】
燃焼設備から発生する飛灰および／または反応生成物を含む排ガスに、リンまたはリン化合物が導入されるリン導入部と、
該リン導入部の下流側に設けられ、該リンまたはリン化合物と混合された前記排ガスが導入される集塵装置と、
該集塵装置において分離・捕集されたダストの一部が、前記燃焼設備から前記集塵装置の排ガス導入部までの排ガス流路のいずれかに導入される循環流路と、
前記集塵装置から供出された排ガスが排出される排出処理部と、
前記リン導入部から導入されるリン導入量および前記循環流路から導入されるダスト導入量を制御する制御部と、
を備えることを特徴とする排ガス処理装置。
【請求項２】
前記集塵装置から供出されたダストのうち、所定粒径を基準に分離されたダストが粉砕処理される粉砕機と、該粉砕機から供出された該ダストが前記循環流路に供出される流路と、を備えることを特徴とする請求項１記載の排ガス処理装置。
【請求項３】
前記集塵装置として、サイクロン式集塵装置またはサイクロン式集塵装置とろ過式集塵装置を用い、該サイクロン式集塵装置において分離・捕集されたダストが前記循環流路に供出される流路と、を備えることを特徴とする請求項１または２に記載の排ガス処理装置。
【請求項４】
前記集塵装置下部に設けられ、該集塵装置から供出されるダストの粒度分布を測定する粒度測定器を備え、該測定結果を用いて、前記リン導入量および前記ダスト導入量を制御することを特徴とする請求項１〜３のいずれかに記載の排ガス処理装置。
【請求項５】
前記集塵装置としてろ過式集塵装置を用い、該ろ過式集塵装置に圧力測定器を設け、該ろ過式集塵装置に導入され供出される排ガスの圧力損失を測定するとともに、該測定結果を用いて、前記リン導入量および前記ダスト導入量を制御することを特徴とする請求項１〜４のいずれかに記載の排ガス処理装置。
【請求項６】
燃焼設備からの排ガスの処理方法であって、該燃焼設備の稼働時において、
（１）前記燃焼設備から供出された排ガスを、ボイラまたはボイラおよび節炭器に導入し廃熱を吸収する工程
（２）前記ボイラまたはボイラおよび節炭器から供出された排ガスを、減温塔に導入し急冷処理を行う工程
（３）前記減温塔から供出された排ガスに、中和剤を添加し、中和処理を行う工程
（４）中和処理された排ガスを、集塵装置に導入し、除塵処理を行う工程
（５）前記集塵装置から供出された排ガスを、脱硝装置に導入し脱硝処理を行う工程
（６）前記脱硝装置から供出された排ガスを、清浄化されたガスとして排出する工程
を有するとともに、
（ａ）前記燃焼設備，前記工程（１）〜（３）のいずれかまたはいくつかに、リンまたはリン化合物を所定量導入する工程
（ｂ）前記集塵装置において分離・捕集されたダストの一部を、前記燃焼設備から前記集塵装置の排ガス導入部までの排ガス流路のいずれかに導入する工程
を有することを特徴とする排ガス処理方法。
【請求項７】
前記工程（ｂ）に代え
（ｃ１）前記集塵装置において分離・捕集されたダストの粒度分布を測定する工程
（ｃ２）前記工程（ｃ１）において測定されたダストを、前記粒度分布を基準に分離する工程
（ｃ３）前記工程（ｃ２）において分離されたダストの一部を、前記燃焼設備から前記集塵装置の排ガス導入部までの排ガス流路のいずれかに導入する工程
（ｃ４）前記工程（ａ）におけるリン導入量および前記工程（ｃ３）におけるダスト導入量を、前記粒度分布を指標として制御・設定する工程
を有することを特徴とする請求項６記載の排ガス処理方法。
【請求項８】
前記工程（ｂ）に代え、
（ｄ１）予めリンまたはリン化合物が混合されたダスト中のリン成分の含有量ｖｓ粒径領域を測定する工程
を有するとともに、
（ｄ２）前記集塵装置において分離・捕集されたダストの粒度分布を測定する工程
（ｄ３）工程（ｄ２）において測定されたダストの該粒度分布と、工程（ｄ１）において得られたダスト中のリン成分の含有量ｖｓ粒径領域特性から、ダスト中のリン成分の含有量×ダスト量を算出し、該算出値が所定値以上となる特定粒径領域についてのダストを分離する工程
（ｄ４）前記工程（ｄ３）において分離されたダストの一部を、前記燃焼設備から前記集塵装置の排ガス導入部までの排ガス流路のいずれかに導入する工程
（ｄ５）前記工程（ａ）におけるリン導入量および前記工程（ｄ４）におけるダスト導入量を、前記工程（ｄ３）におけるダスト中のリン成分の含有量×ダスト量についての前記特定粒径領域の総量を指標として制御・設定する工程
を有することを特徴とする請求項６記載の排ガス処理方法。
【発明の詳細な説明】
【技術分野】
【０００１】
本発明は、排ガス処理装置および排ガス処理方法に関し、詳しくは、廃棄物等の焼却設備などの燃焼設備から排出される排ガスの清浄化に用いる排ガス処理装置および排ガス処理方法に関する。
【背景技術】
【０００２】
各種ごみなどの廃棄物を焼却する廃棄物焼却施設、製鉄・冶金あるいはセメント製造設備等から排出される燃焼排ガス中には、微粒子を含む多くの煤塵（ダスト）やＮＯｘ等の有害物質および微量の有機化合物が存在する。有機化合物の中でも特に、ポリ塩化ジベンゾダイオキシン、ポリ塩化ジベンゾフラン及びコプラナＰＣＢに代表されるダイオキシン類は、人体に有害な物質であり、ダストやＮＯｘ等とともに排ガス中からこれらを除去する排ガス処理装置あるいは処理方法が要求され、多くの処理装置や処理方法が実用化されている。
【０００３】
例えば、ガス集塵フィルタを複数組み込んだガス集塵装置により廃棄ガス中の除塵処理とダイオキシン等の有機化合物類の酸化分解処理を同時に行う排ガス処理方法が提案されている。具体的には、図５に示すように、燃焼室及び副燃焼室を有する廃棄物焼却炉等からの高温排ガス１２９は、冷却装置１３０にて１５０〜４００℃の範囲、好ましくは１５０〜３５０℃の範囲に減温され、本発明によるガス集塵装置１２８にて灰を除去すると同時にダイオキシン類等の有機化合物を酸化分解して無害化し、吸引ファン１３１により煙突１３２から大気放出される（例えば特許文献１参照）。
【０００４】
【特許文献１】特開２００４−０３３８５５号公報
【発明の概要】
【発明が解決しようとする課題】
【０００５】
しかしながら、上記従来技術の排ガス処理装置あるいは排ガス処理方法には、排ガス中に含まれる種々の成分によって多様な課題がある。特に、排ガス中のダスト処理については、量的あるいは質的にも多様な性状を有することから、除去・回収処理に対する費用面を含む課題も多い。具体的には、
（ｉ）排ガス中のダストを除去するのにろ過式集塵装置（バグフィルタ）を用いた場合、集塵性能は良いが、圧力損失が大きいため消費動力（送風機の消費電力）も大きい。これを解決するために、ろ布に付着したダストを払い落とす回数を増やすことが考えられるが、ろ布の劣化が早くなり、交換頻度が増え、経済的に損失となる。
（ii）また、ろ布に付着したダストを払い落とすために頻繁な圧縮空気による逆吹（ブローバックあるいはパルスジェット）は、圧縮空気の使用量が増えることになり、設備費がアップするとともに、バグフィルタにおける圧力損失を大きく（例えば１／２以下）低減するだけの効果はない。
といった課題が挙げられる。
【０００６】
そこで、本発明の目的は、上記従来技術の問題点に鑑みて、簡易な手法を用いてダスト処理を行うことによって、複雑で設備コストのかかる構成を要することなく、燃焼設備から発生する排ガス中の清浄化における圧力損失の増大等を防止し、簡便かつ効果的な排ガスの清浄化処理を可能とし、省力化され、エネルギー効率の高い排ガス処理装置および排ガス処理方法を提供することにある。
【課題を解決するための手段】
【０００７】
本発明者は、鋭意研究を重ねた結果、以下に示す排ガス処理装置および排ガス処理方法によって、上記目的を達成できることを見出し、本発明を完成するに到った。
【０００８】
すなわち、本発明に係る排ガス処理装置は、燃焼設備から発生する飛灰および／または反応生成物を含む排ガスに、リンまたはリン化合物が導入されるリン導入部と、
該リン導入部の下流側に設けられ、該リンまたはリン化合物と混合された前記排ガスが導入される集塵装置と、
該集塵装置において分離・捕集されたダストの一部が、前記燃焼設備から前記集塵装置の排ガス導入部までの排ガス流路のいずれかに導入される循環流路と、
前記集塵装置から供出された排ガスが排出される排出処理部と、
前記リン導入部から導入されるリン導入量および前記循環流路から導入されるダスト導入量を制御する制御部と、
を備えることを特徴とする。
【０００９】
また、本発明は、燃焼設備からの排ガスの処理方法であって、該燃焼設備の稼働時において、
（１）前記燃焼設備から供出された排ガスを、ボイラまたはボイラおよび節炭器に導入し廃熱を吸収する工程
（２）前記ボイラまたはボイラおよび節炭器から供出された排ガスを、減温塔に導入し急冷処理を行う工程
（３）前記減温塔から供出された排ガスに、中和剤を添加し、中和処理を行う工程
（４）中和処理された排ガスを、集塵装置に導入し、除塵処理を行う工程
（５）前記集塵装置から供出された排ガスを、脱硝装置に導入し脱硝処理を行う工程
（６）前記脱硝装置から供出された排ガスを、清浄化されたガスとして排出する工程
を有するとともに、
（１ａ）前記燃焼設備，前記工程（１）〜（３）のいずれかまたはいくつかに、リンまたはリン化合物を所定量導入する工程
（４ａ）前記集塵装置において分離・捕集されたダストの一部を、前記燃焼設備から前記集塵装置の排ガス導入部までの排ガス流路のいずれかに導入する工程
を有することを特徴とする。
【００１０】
排ガス処理装置におけるダストの除去処理においては、上記のようにいくつかの課題があった。本発明者は、検証過程において、
（ア）燃焼炉内にリンまたはリン化合物（以下纏めて「リン化合物」ということがある）が存在した場合、燃焼炉から排出された排ガス中の灰分（Ｓｉ，Ａｌ，Ｃａ等）を主成分とするダストについて、増大した平均粒径を有すること
（イ）排ガス中のダストの平均粒径が大きな場合、バグフィルタ等ろ過式の集塵装置における圧力損失を大きく減少させることができること
（ウ）リン化合物の導入後の下流の排ガス流路において、ダスト等の流路表面への付着が少なく、固着物の発生や腐食性物質による腐食あるいは生成物の成長による流路の閉塞等を防止することができること
（エ）さらなる検証において、燃焼炉の下流側に設けられた中和処理部あるいはさらに下流側のろ過式の集塵装置内にリン化合物を導入した場合においても同様に集塵装置における圧力損失を減少させることができること
（オ）リン化合物が導入された後の排ガス中のダストの粒度分布は、導入前と比較して大粒径側に大きくシフトすること
（カ）ろ過式の集塵装置によって捕集されたダスト中のリン成分の含有量は、大粒径ほど大きく小粒径ほど小さいこと
（キ）上記（ウ），（エ）については、導入されるリン化合物が液体あるいは固体であっても、同様の効果を得ることができること
（ク）上記（ウ），（エ）については、新たなリン化合物に代えて、上記（カ）において得られた大粒径ダストを排ガスに導入した場合においても、同様の効果を得ることができること
を見出した。
つまり、排ガス中の微小ダストや小粒径ダストが、リン化合物を介在することによって凝集し大粒径ダストを形成するとの知見を得た。本発明は、こうした知見を基に、所定の排ガス処理過程において、該処理系にリン化合物を導入することによって、複雑で設備コストのかかる構成を要することなく、排ガス中のダストの除去処理におけるダストの付着や固化あるいは蓄積による圧力損失の増大等を防止し、簡便かつ効果的な排ガスの清浄化処理を可能となった。また、集塵された大粒径ダストを再度燃焼設備から発生する排ガスに導入することによって、新たに導入するべきリン化合物を低減することができ、省力化され、エネルギー効率の高い排ガス処理を行うことが可能となった。さらに、
（ケ）排ガス処理過程において課題となる廃棄物中に含まれる重金属の溶出を抑制する効果があること
が見出され、従前非常に複雑で設備コストのかかる構成を要したこうした処理が、本発明に係る構成によって、より簡便かつ効果的に行うことが可能となった。
【００１１】
本発明は、上記排ガス処理装置であって、前記集塵装置から供出されたダストのうち、所定粒径を基準に分離されたダストが粉砕処理される粉砕機と、該粉砕機から供出された該ダストが前記循環流路に供出される流路と、を備えることを特徴とする。
上記（カ）のように、リン化合物の凝集機能によって形成された大粒径ダストには多くのリン化合物が含有している。また、リン化合物が含有した物質については、含有量が大きいほど凝集機能が高く、固体であっても凝集機能があるとの検証結果を得た（後述）。さらに、細粉化されたダストは、再凝集しやすく、一般に粒径が小さい方が多くの粒子の凝集を図ることができる。本発明は、リン化合物の凝集機能によって形成された大粒径ダストを選別し、これを粉砕することによって、これに含まれるリン化合物の凝集機能による新たに導入されたダストとの凝集効果も大きく、加えて、小粒径のダストにより凝集物を形成する核としての機能を有することができる。従って、選別されたダストによる循環系を形成することによって、再度効果的にその凝集機能を利用することを可能にした。
【００１２】
本発明は、上記排ガス処理装置であって、前記集塵装置として、サイクロン式集塵装置またはサイクロン式集塵装置とろ過式集塵装置を用い、該サイクロン式集塵装置において分離・捕集されたダストが前記循環流路に供出される流路と、を備えることを特徴とする。
凝集された大粒径ダストの再利用は、本発明に係る排ガス処理装置において大きな役割を果たすリン化合物の使用量を大幅に低減することができる。また、サイクロン式集塵装置（以下「ＣＹ装置」ということがある）は、流通路に大きな負荷をかけることなく効率的な除塵機能を有するとともに、所定の粒径範囲において、落下して捕集する大粒径ダストと上部から通過する小粒径ダストに分離することができる機能を有する。本発明は、こうしたＣＹ装置が有する固有の機能を活用し、リン化合物が導入された排ガス中の大粒径ダスト（多くは凝集によって作成される）を選択的に分離して取り出すことによって、排ガス処理系に大きな負荷を掛けることなく、凝集された大粒径ダストを循環流路に導入し、その再利用を図ることができる。
【００１３】
本発明は、上記排ガス処理装置であって、前記集塵装置下部に設けられ、該集塵装置から供出されるダストの粒度分布を測定する粒度測定器を備え、該測定結果を用いて、前記リン導入量および前記ダスト導入量を制御することを特徴とする。
また、本発明は、上記排ガス処理方法であって、前記工程（ｂ）に代え
（ｃ１）前記集塵装置において分離・捕集されたダストの粒度分布を測定する工程
（ｃ２）前記工程（ｃ１）において測定されたダストを、前記粒度分布を基準に分離する工程
（ｃ３）前記工程（ｃ２）において分離されたダストの一部を、前記燃焼設備から前記集塵装置の排ガス導入部までの排ガス流路のいずれかに導入する工程
（ｃ４）前記工程（ａ）におけるリン導入量および前記工程（ｃ３）におけるダスト導入量を、前記粒度分布を指標として制御・設定する工程
を有することを特徴とする。
上記のように、本発明に係る排ガス処理系においては、リン化合物の導入によって非常に効果的に排ガス中の微小ダストの凝集を図ることができる。このとき、後述するように、所定量のリン化合物の導入によって、その効果をより大きくすることができる可能性があるとともに、廃棄物の性状等燃焼対象物の性状によっても、その効果が変動する可能性があるとの知見も得られた。また、捕集されたダストの再利用に際しては、凝集された所定粒径のダスト（大粒径ダスト）を選別することによって、再度の凝集機能を確保することができるとの知見も得られた。つまり、捕集されたダストの粒径から循環するダスト中のリン化合物の凝集機能を推定し、新たに導入するリン化合物の凝集機能と合せて所望の凝集機能を確保することができる。こうした知見を基に、本発明は、集塵装置における実測の粒度分布を基に、リン化合物の導入量（リン導入量）および循環するダストの導入量（ダスト導入量）を制御することによって、こうした変動要素のある排ガス処理効果をより効果的に機能させることを可能にした。また、こうした大粒径のダストの循環によって、集塵装置の負担を軽減することができる。
【００１４】
本発明は、上記排ガス処理装置であって、前記集塵装置としてろ過式集塵装置を用い、該ろ過式集塵装置に圧力測定器を設け、集塵装置に導入され供出される所定量の排ガスの圧力損失を測定するとともに、該測定結果を用いて、前記リン導入量および前記ダスト導入量を制御することを特徴とする。
上記のように、本発明に係る排ガス処理系においては、リン化合物の導入によって非常に効果的に排ガス中のダストによる圧力損失の増大を防止することができる。このとき、後述するように、所定量のリン化合物の導入によって、その効果をより大きくすることができる可能性があるとともに、廃棄物の性状等燃焼対象物の性状によっても、その効果が変動する可能性があるとの知見も得られた。本発明は、集塵装置としてろ過式集塵装置を用い、実測の圧力損失量を基に、リン導入量およびダスト導入量を制御することによって、こうした変動要素のある排ガス処理効果をより効果的に機能させることを可能にした。
【００１５】
本発明は、上記排ガス処理方法であって、前記工程（ｂ）に代え、
（ｄ１）予めリンまたはリン化合物が混合されたダスト中のリン成分の含有量ｖｓ粒径領域を測定する工程
を有するとともに、
（ｄ２）前記集塵装置において分離・捕集されたダストの粒度分布を測定する工程
（ｄ３）工程（ｄ２）において測定されたダストの該粒度分布と、工程（ｄ１）において得られたダスト中のリン成分の含有量ｖｓ粒径領域特性から、ダスト中のリン成分の含有量×ダスト量を算出し、該算出値が所定値以上となる特定粒径領域についてのダストを分離する工程
（ｄ４）前記工程（ｄ３）において分離されたダストの一部を、前記燃焼設備から前記集塵装置の排ガス導入部までの排ガス流路のいずれかに導入する工程
（ｄ５）前記工程（ａ）におけるリン導入量および前記工程（ｄ４）におけるダスト導入量を、前記工程（ｄ３）におけるダスト中のリン成分の含有量×ダスト量についての前記特定粒径領域の総量を指標として制御・設定する工程
を有することを特徴とする。
上記のように、リン化合物の凝集機能は、排ガス中のダストに導入される、循環系からのリン導入量と新たに導入されるリン導入量の総量に依存するといえる。このとき、実際に指標として使用できる測定要素としては、集塵装置において分離・捕集されたダストの粒度分布（ダスト量ｖｓ粒径領域）および循環系に導入されるダストの粒度分布であり、制御要素として循環系に導入されるダスト量および新たに導入されるリン導入量である。つまり、捕集されたダスト中のリンの含有量は、循環系がなければ総量では新たに導入されたリン導入量であるが、燃焼処理される対象物の供給量や性状が変動する稼働状態において循環系が形成された場合には、循環系に導入されるダスト中のリン成分の含有量を直接測定することは困難であり、循環系からのリン導入量を指標とすることはできない。しかしながら、後述するように、本検証過程において、特定量のリン化合物が導入（混合）されて凝集されたダスト中のリン成分の含有量ｖｓ粒径領域は、ほぼ一定の関係にあるとの知見を得た。また、循環系に導入されるダストの粒度分布は、実測の捕集されたダストの粒度分布から算出することができる。従って、予めこうしたダスト中のリン成分の含有量ｖｓ粒径領域を測定し、その特性を把握することによって、循環系に導入されるダスト中のリン成分の含有量が推算され、その結果循環系からのリン導入量を推算することができる。つまり、捕集されたダストの粒度分布を基に、燃焼設備から排出される排ガスに導入するリン化合物の総量を制御することが可能となる。
【図面の簡単な説明】
【００１６】
【図１】本発明に係る排ガス処理装置の基本構成例を示す説明図
【図２】本発明に係る排ガス処理における排ガス中のダストの粒度分布図
【図３】本発明に係る排ガス処理装置におけるダスト処理部を例示する説明図
【図４】本発明に係る排ガス処理装置の第２構成例を示す説明図
【図５】従来技術に係る排ガス処理装置を例示する説明図
【発明を実施するための形態】
【００１７】
本発明に係る排ガス処理装置（以下「本装置」という）は、燃焼設備から発生する飛灰および／または反応生成物を含む排ガスに、リンまたはリン化合物が導入されるリン導入部と、リン導入部の下流側に設けられ、該リンまたはリン化合物と混合された排ガスが導入される集塵装置と、集塵装置において分離・捕集されたダストの一部が、燃焼設備から集塵装置の排ガス導入部までの排ガス流路のいずれかに導入される循環流路と、集塵装置から供出された排ガスが排出される排出処理部と、リン導入部から導入されるリン導入量および循環流路から導入されるダスト導入量を制御する制御部と、を備えることを特徴とする。以下、本発明の実施の形態について、図面を参照しながら説明する。
【００１８】
＜本装置の基本構成例＞
本装置の基本的な実施態様の概略を、図１に示す（基本構成例）。以下の本装置の説明においては、ダスト導入部Ｄ１およびリン導入部Ｐ１が燃焼設備１に設けられた構成を例として説明する。本装置は、廃棄物投入ホッパー７から廃棄物等燃焼対象物Ｍが導入される燃焼設備１と、燃焼設備１から供出された排ガスが導入され、廃熱が吸収されるボイラ２ａおよび節炭器２ｂと、節炭器２ｂから供出された排ガスが導入され、急冷処理が行われる減温塔３と、減温塔３から供出された排ガスが導入され、薬剤導入部４１から導入された中和剤によって中和処理が行われる中和処理部４と、中和処理された排ガスが導入され、除塵処理が行われる集塵装置５と、集塵装置５から供出された排ガスが清浄化されたガスとして排出される煙突部６と、を備える。燃焼設備１には、集塵装置５において捕集されたダストの一部のダストＤａが循環流路８を介して導入されるダスト導入部Ｄ１およびリン化合物Ｐが所定量導入されるリン導入部Ｐ１を備える。また、燃焼設備１に導入されるダスト導入量およびリン導入量は、制御部９により制御されるダスト制御機構Ｄ２およびリン制御機構Ｐ２によって、調整・制御される。なお、ここでは、ボイラ２ａと節炭器２ｂを直列に配設した構成を例示するが、ボイラのみを配設する場合等仕様に合った構成が可能である。
【００１９】
以下では、燃焼対象物Ｍが廃棄物投入ホッパー７を含む燃焼設備１に、ダストＤａおよびリン化合物Ｐが所定量導入された場合を例示する。排ガス中のダストの除去処理における圧力損失の増大等を防止し、簡便かつ効果的な排ガスの清浄化処理を可能とし、省力化され、エネルギー効率の高い排ガス処理装置を構成することができる。なお、本装置は、こうした構成に限定されるものではなく、例えば集塵装置５から供出された排ガスが導入され、脱硝処理が行われる脱硝装置（図示せず）が付加された構成等、燃焼対象物Ｍの性状や法的規制等の要請あるいは排ガス処理過程において発生する有価物の利用等に対応した構成（図示せず）を適用することが可能である。
【００２０】
〔各処理部１〕
燃焼設備１において、リン導入部Ｐ１を介して導入されたリン化合物Ｐおよびダスト導入部Ｄ１を介して導入されたダストＤａとともに、燃焼対象物Ｍが燃焼処理され、発生した焼却残渣等Ｓが下部から、発生した排ガスが上部から排出される。燃焼設備１に導入された燃焼対象物Ｍは、予め加熱された助燃用空気（図示せず）によって燃焼し、ＣＯ２やＨ２Ｏ等の気体成分に変換されるとともに、未燃分を含む固体成分が発生する。大きな固体成分が発生するとともに、微細な固体粒子が排ガス中に浮遊するダスト（微細ダスト）として発生する。大きな固体成分は、焼却残渣等Ｓを形成し、燃焼設備１下部から排出される。このとき、リン導入部Ｐ１を介してリン化合物Ｐが、ダスト導入部Ｄ１を介して導入されたダストＤａに含まれるリン成分とともに所定量導入されることによって、微細ダストの凝集が生じ、所定の大きさの粒子を形成すると推認される。燃焼設備１としては、燃焼対象物Ｍが廃棄物の場合、ストーカ式、炉床式や流動層式の焼却炉あるいはロータリキルン等の焼却炉等が挙げられる。
【００２１】
〔リン化合物の導入について〕
本装置において、リン化合物Ｐの導入は、例えば肥料廃液等液状リン化合物や五酸化リン等の粉粒リン化合物あるいは汚泥等のリン廃棄物等のリン化合物Ｐが、燃焼設備１から集塵装置５に移送されるまでの間で排ガスが処理される各処理部２〜５およびその排ガス流路のいずれかまたはいくつかに導入されることが好ましい。基本構成例では、燃焼設備１にリン導入部Ｐ１が１つ設けられ、リン制御機構Ｐ２によって所定量に調整され、リン導入部Ｄ１を介して燃焼設備１に導入される構成を示す。さらにボイラ２ａや節炭器２ｂ等の上流の複数のポイントから導入することによって、その凝集機能および化学的機能を活かすことができる。また、基本構成例では、リン化合物Ｐに加えて、リン化合物Ｐが導入された排ガスから集塵処理され捕集された大粒径ダストを循環させて排ガス処理系に導入し、該ダスト中に多く含まれるリン成分を利用する構成が採られる。新たに導入するリン化合物の低減等を図ることができる。以下、リン化合物ＰおよびダストＤａ中のリン成分を合せて単に「リン化合物」ということがある。
【００２２】
具体的には、後述するように、所定の粒径分布を示すダストにリン酸水溶液を導入した場合、小粒径のダストの凝集によって、粒径分布が大粒径側にシフトする検証結果を得た。また、本装置のリン導入部Ｐ１からリン酸廃液を導入した場合、粒径分布において小粒径のダストが減少し大粒径のダストが増加する検証結果を得た。こうした検証過程の知見として、燃焼設備１内に導入され、燃焼対象物Ｍの燃焼により発生した排ガスに散布されるように導入されることが好ましい。具体的には、リン導入部Ｐ１（およびダスト導入部Ｄ１）を燃焼設備１内の燃焼対象物Ｍの上部から直接添加可能な位置に設けることによって、燃焼対象物Ｍ全体に散布することができるとともに、燃焼により発生し上昇流を形成する排ガスにも添加することができ排ガス中の高温ダストの凝集に作用させることができる。また、燃焼している燃焼対象物Ｍからの火炎上部に添加可能な位置に設けることによって、高温燃焼状態でのダストの凝集に作用させることができるとともに、重金属の溶出抑制機能が期待できる。
【００２３】
なお、検証過程においては、約１００℃以上の条件でのリン化合物の導入によれば、高いダストの凝集作用が得られている。従って、本装置においては、ボイラ２ａ，節炭器２ｂ，減温塔３，中和処理部４および集塵装置５のいずれにおいてリン化合物の導入操作を行っても、高いダストの凝集作用や重金属の溶出抑制機能が期待できる。また、例えば粉粒状のリン化合物Ｐを、廃棄物投入ホッパー７から廃棄物へ散布し、予め燃焼対象物Ｍとリン化合物Ｐが混合された状態を形成し、その後高温燃焼状態で反応させることによっても、高いダストの凝集作用を確保することができる。このように、リン導入部Ｐ１（およびダスト導入部Ｄ１）は、燃焼設備１を含め、燃焼設備１から集塵装置５に移送されるまでの間で排ガスが処理される各処理部２〜５およびその排ガス流路のいずれかまたはいくつかに設けられ、リン化合物が導入されることによって、高いダストの凝集作用、およびその化学的な機能として、重金属の溶出抑制機能が得られる。
【００２４】
このとき、リン化合物Ｐとして、リン単体や五酸化リン等の粉粒体あるいはオルトリン酸や次亜リン酸，亜リン酸等のリン酸溶液、または肥料廃液や汚泥等のリン廃棄物を利用することができる。後述するように、リン化合物Ｐの性状は、影響することなく、ダストの凝集機能を有するとの検証結果を得た。
【００２５】
〔検証例１〕
図２（Ａ）に例示するような粒径分布を示すダストに対して、所定のリン化合物Ｐを導入し、その粒度分布の変化を検証した。
（ｉ）リン酸水溶液を導入した場合
リン酸７５％水溶液を準備し、水での希釈液を含め、リン化合物として用いた。重量比約２．２％のダストが形成され、上記粒径分布が、図２（Ｂ）に例示するように、小粒径のダストの凝集によって、大きく大粒径側にシフトする検証結果が得られた。
（ii）リン酸廃液を導入した場合
強アルカリをリン酸７５％水溶液で中和処理したリン酸廃液をリン化合物として用い、リン導入部から導入した。重量比約１．７％のダストが形成され、上記粒径分布が、図２（Ｃ）に例示するように、小粒径ダストが減少し、大粒径ダストが増加する検証結果が得られた。また、このとき、リン酸廃液導入前後の各粒径領域のダストに含まれるリン成分を測定し、その変動結果（リン濃度の差）を図２（Ｄ）に例示する。リン酸廃液導入後の大粒径のダストには多量のリン成分が含まれるとの検証結果が得られた。大粒径ダストにおいては、小粒径ダストの数倍〜数１００倍のリン成分が含まれるとの検証結果が得られた。
（iii）粉体リン酸カルシウムを導入した場合
重量比約１．１％のダストが形成され、上記粒径分布が、図２（Ｅ）に例示するように、大粒径ダストが減少する検証結果が得られた。
（iｖ）リン濃度と粒径分布の相関
以上（ｉ）〜（iii）の結果を、導入するリン濃度を指標として、各粒径範囲の分率の変化を検証すると、図２（Ｆ）に例示するように、ダストの凝集作用には、リン濃度が影響し、特に濃度が高いほど小粒径ダストに対する凝集効果が大きく、その分小粒径ダストが減少し、大粒径ダストが増加するとの検証結果が得られた。また、得られたダストの粒度分布とリン濃度との関係を検証すると、図２（Ｄ）に例示するように、大粒径のダストほど含まれるリン成分の濃度が高くなるとの検証結果が得られた。つまり、リン化合物の導入によって、微小ダストの凝集が発生するとともに、リン濃度が高い場合には、さらに凝集したダストへのリン化合物の集積が生じることによって、より凝集機能が大きくなり、大粒径のダストが多い粒度分布が形成されると推察される。
【００２６】
〔各処理部２〕
ボイラ２ａおよび節炭器２ｂ内には、一般に複数の水管（図示せず）が設けられ、水管内部を流通する水との間での熱交換によって、燃焼設備１から供出された排気ガスの温度が約１５０〜３００℃程度に冷却される。加温された水は、ボイラ水等に用いられる。
【００２７】
減温塔３では、排ガス流路に冷却水が噴射され、水の蒸発潜熱によって排ガスの温熱が急速に奪われ、排気ガスの温度が２００℃以下、約１００〜２００℃程度に冷却される。これによって、集塵装置等後段の処理における負荷を軽減することができる。
【００２８】
中和処理部４では、減温塔３から供出された排ガスに対して中和処理が行われる。具体的には、排ガス中に消石灰等のアルカリ成分を含む薬剤（中和剤）Ｎを導入することによって、硫黄酸化物あるいは塩素化合物や炭酸化物等の酸性成分が多く含まれる排ガスが中和され、無害化される。なお、中和剤Ｎはこれらに限定されず、例えば再生されたアルカリ処理液等アルカリ性を有し、反応後無害な化合物を生成する薬剤であれば、これを用いることができる。また、中和処理部４として特別な反応槽を設ける必要はなく、前段の減温塔３から後段の除塵装置５までの排ガス流路あるいは除塵装置５内の濾材等集塵処理されるまでの空間部において中和処理ができれば足りる。
【００２９】
集塵装置５では、中和処理された排ガス中の凝集物を含む微細ダストの除塵処理が行われる。集塵装置５としては、ろ過式集塵装置（バグフィルタ：以下「ＢＦ」ということがある）等を用いることができる。本装置におけるリン化合物の導入（リン化合物ＰおよびダストＤａ中のリン成分）によって、乾式、特にＢＦ等ろ過式集塵装置を用いた場合における圧力損失の低減においてより高い技術的効果を得ることができる。集塵装置５に収集されたダスト（Ｄａ＋Ｄｂ）は下部から供出される。集塵装置５から供出された排ガスは、給送ファンＦによって給送され、煙突部６から清浄化されたガスＥとして排出される。このとき、後述するように、集塵装置５に圧力測定器（図示せず）を設けることによって、ろ材等に付着したダスト等による集塵装置５の圧力損失を検出することができる。
【００３０】
〔ダストの循環について〕
本装置においては、リン化合物の凝集機能によって形成された特に大粒径ダストを循環することを特徴とする。大粒径ダスト中に多量に含有するリン成分を活用することによって、リン化合物Ｐの導入量を低減することができるだけではなく、排ガス処理系全体の負荷を大きく低減することができる。つまり、リン化合物の凝集機能によって、排ガス中のダスト全体の粒度分布が大粒径側にシフトし集塵装置５の負荷（圧力損失を含む）が低減されると同時に、捕集されたダストのうちリン成分が多く含まれるダスト（大粒径ダスト）が循環系に導入されることによって、最終処理の負荷が大きく低減される。具体的には、集塵装置５の下部にはダスト取出部（図示せず）が備わり、小粒径ダストを主とするダストＤｂと大粒径ダストを主とするダストＤａに分離され、ダストＤｂは飛灰処理設備等に供出され最終処理される。ダストＤａは、循環流路８を介してダスト制御機構Ｄ２によって所定量に調整され、ダスト導入部Ｐを介して燃焼設備１に導入される。
【００３１】
このとき、本装置は、図３に例示するように、集塵装置５から供出されたダストを、所定の粒径を基準に分離する分級機１１と、分離されたダストが粉砕処理される粉砕機１２と、を備えた処理部１０を構成することが好ましい。大粒径ダストには多くのリン成分が含まれ、リン成分の含有量が大きいほど微小ダストの凝集機能が高い。さらに、細粉化されたダストは、再凝集しやすく、一般に粒径が小さい方が多くの粒子の凝集を図ることができる。従って、リン化合物Ｐの凝集機能によって形成された大粒径ダストを選別し、これを粉砕することによって、これに含まれるリン化合物の凝集機能による新たに導入されたダストとの凝集効果も大きく、加えて、小粒径のダストにより凝集物を形成する核としての機能を有することができる。
【００３２】
処理部１０において、集塵装置５の下部から供出されたダストは、バルブＶ１を介して分級機１１に導入される。バルブＶ１は、例えばロータリーバルブのように、シールを維持しながら連続的に供出できる構成が好ましい。分級機１１では、例えば図２（Ｄ）の例では粒径約４００〜５００μｍを基準として、それ以上の大粒径ダストＤａと、それ以下の小粒径ダストＤｂに分離される。分級機１１は、例えば振動篩や遠心篩等のように、連続的に分離し供出できる構成が好ましい。分級機１１から供出されたダストＤａ，Ｄｂは、流路８ａ，８ｂに分けられ、粒度測定器Ａａ，Ａｂによって粒度分布が測定された後、ダストＤａはバルブＶ２を介して粉砕機１２に導入され、ダストＤｂはバルブＶ３を介して系外に供出される。粒度測定器Ａａは、例えば光散乱式あるいはレーザ回折式測定器等のように非接触で連続測定ができる機器が好適である。粉砕機１２は、特に凝集したダストの粉砕に適した粉砕機が好ましく、例えばボールミルやロッドミルあるいはローラミル等の連続式の粉砕機を挙げることができる。数μｍ〜数１００μｍに粉砕されたダストＤａは、粉砕機１２から循環流路８に供出され、燃焼設備１等に導入される。循環流路８は、連続的な粉体輸送に適した構成が好ましく、例えばコンベア輸送や圧縮空気によるダクト輸送等が挙げられる。
【００３３】
〔本装置の他の構成例（第２構成例）〕
図４は、集塵装置として、サイクロン式集塵装置（ＣＹ装置）５ａとＢＦ５を用い、ＣＹ装置５ａにおいて分離・捕集されたダストＤａが循環流路８に供出される構成を例示する（第２構成例）。所定の粒径範囲（特に大粒径の範囲）のダストに強制的に落下させて分離するというＣＹ装置が有する固有の除塵機能を活かし、大粒径ダストを効率的に分離して取り出すことができる。また、こうした大粒径ダストにはリン成分が多く含まれることから、リン化合物の１つとして再利用を図るための分離手段として非常に有効である。さらにＣＹ装置は、流通路に大きな負荷をかけることなく、連続して落下して捕集する大粒径ダストと上部から通過する小粒径ダストに分離することができることから、凝集された大粒径ダストを連続的に循環系に導入して再利用を図ることができる。なお、本構成例では、ＣＹ装置５ａとＢＦ５を組合せて用いた構成を例示したが、リン化合物の導入による効果が顕著な場合や排ガスの性状によっては、ＣＹ装置５ａ単独で大粒径ダストを取出す構成を適用することができる。分離された小粒径ダストは、通常飛灰処理設備等に供出され最終処理される、あるいは微量の場合には、希釈化された後、清浄ガスＥとして排出することができる。
【００３４】
＜本発明に排ガス処理方法＞
次に、本装置を用いた排ガスの処理プロセスを詳述する。燃焼設備および排ガス処理装置の稼働時において、以下の処理プロセス
（１）燃焼設備から供出された排ガスを、ボイラまたはボイラおよび節炭器に導入し廃熱を吸収する工程
（２）ボイラまたはボイラおよび節炭器から供出された排ガスを、減温塔に導入し急冷処理を行う工程
（３）減温塔から供出された排ガスに、中和剤を添加し、中和処理を行う工程
（４）中和処理された排ガスを、集塵装置に導入し、除塵処理を行う工程
（５）集塵装置から供出された排ガスを、脱硝装置に導入し脱硝処理を行う工程
（６）脱硝装置から供出された排ガスを、清浄化されたガスとして排出する工程
を有するとともに、以下の処理プロセスを有することを特徴とする。
（ａ）燃焼設備，工程（１）〜（３）のいずれかまたはいくつかに、リンまたはリン化合物を所定量導入する工程
（ｂ）集塵装置において分離・捕集されたダストの一部を、燃焼設備から集塵装置の排ガス導入部までの排ガス流路のいずれかに導入する工程
ここでは、上記基本構成例のように、燃焼設備１に新規のリン化合物Ｐおよび循環流路からのダストＤａを導入する構成を適用する工程に基づいて説明する。
【００３５】
（ａ）リン化合物の導入工程
本装置の稼働時において、燃焼設備１に導入される燃焼対象物Ｍの導入量に対応したリン化合物Ｐがリン導入部Ｐ１から導入される。燃焼設備１内において、燃焼対象物Ｍの燃焼によって発生する反応生成物あるいは未反応成分とリン化合物Ｐが反応あるいは物理的な結合によって凝集物が形成されると解される。当該反応等によって、約１０００〜１５００℃程度の排ガスが生成される。また、本プロセスにおいては、より上流において導入することによって、以降の流路あるいは各処理部における微小ダストの付着や蓄積を防止することができる。このとき、同時に燃焼設備１に導入されるリン成分を含むダストＤａについては後述するが、リン化合物Ｐと同様の機能を有することから、以下の工程においてはリン化合物Ｐの一部として扱うことがある。
【００３６】
このとき、導入するリン化合物Ｐのリン濃度を予め測定するとともに、得られた測定結果を用いて、リン化合物Ｐの燃焼設備１への導入量を調整することが好ましい。ダストの凝集作用には、燃焼対象物とリンの比率（燃焼物中のリン濃度）が影響することから、リン濃度が予め測定されたリン化合物の導入量を制御することによって、最適条件で、こうした排ガス処理を行うことができる。また、本プロセスでは、燃焼設備１のみにリン化合物Ｐを導入する工程を示すが、以下の工程（１）〜（３）のいずれにおいて導入することができ、また複数の工程において導入することができる。
【００３７】
（１）ボイラまたはボイラおよび節炭器での廃熱吸収工程
燃焼設備１から排出された排ガスが、ボイラ２ａおよび節炭器２ｂに導入される。ボイラ２ａおよび節炭器２ｂにおいて、内部に熱媒体が流通する複数の水管等によって、排ガスの温度が約１５０〜３００℃になるように熱回収される。回収された熱は、発電などに利用され、減温された排ガスは、減温塔３に導入され、さらに冷却処理が行われる。
【００３８】
（２）減温塔での急冷処理工程
節炭器２ｂから排出された約１５０〜３００℃の排ガスが、減温塔３に導入される。減温塔３において、例えば噴射冷却水等によって２００℃以下に急速冷却される。排ガスの冷却処理によって、以降の中和処理および除塵処理の効率化を図ることができる。冷却された排ガスは、中和処理部４に導入され、中和処理が行われる。
【００３９】
（３）中和処理工程
減温塔３から排出された２００℃以下の排ガスが、中和処理部４に導入される。中和処理部４において、例えば消石灰等の中和剤Ｎが薬剤導入部４１から添加され、中和処理が行われる。中和処理された排ガスは、微細ダストや中性の反応生成物および未反応の中和剤Ｎを含め除塵装置５に導入され、さらに除塵処理が行われる。
【００４０】
（４）集塵装置での除塵処理工程
中和処理部４から排出された排ガスが、除塵装置５に導入される。除塵装置５として、例えばバグフィルタが用いられ、濾布等による除塵処理が行われる。濾布等によって収集された微細ダストや中性の反応生成物および未反応の中和剤Ｎ等は、所定時間経過後に濾布等に対する逆洗処理され、排出される。除塵処理された排ガスは、清浄化された排ガスとして煙突部６に導入されて排出される、あるいは必要な場合には、次工程（５）に示すように、排ガス中の窒素酸化物（ＮＯｘ）を除去すべく脱硝装置に導入される。
【００４１】
このとき、（４ａ）集塵装置５に導入され供出される所定量の排ガスの圧力損失を測定する工程、を有することが好ましい。集塵装置５における集塵機能は、圧力損失が大きくなると急激に低下する。除塵装置５において収集されたダスト等による圧力損失が所定値を超えた場合に、ブローバック等による濾布等の逆洗を行うことによって、集塵機能を再生させ維持することができる。また、得られた測定結果を用いて、リン化合物の導入量（リン導入量およびダスト導入量）を制御する工程、を有することが好ましい。実動状態における集塵装置５での圧力損失を基にリン化合物の導入量を制御することによって、最適条件で、こうした排ガス処理を行うとともに、ブローバック等の処理操作の低減を図ることができる。
【００４２】
（５）脱硝装置での脱硝処理工程
集塵装置５から排出された排ガスは、第１構成例のように、直ちに煙突部６に導入されて排出されることがあるが、本処理プロセスでは、脱硝装置（図示せず）に導入される場合についても触れる。脱硝装置に導入された排ガス中の窒素酸化物（ＮＯｘ）は、脱硝装置内に充填された脱硝触媒の存在下において、脱硝装置に供給されたアンモニアと反応し、脱硝処理される。脱硝触媒としては、Ｖ２Ｏ５−ＴｉＯ２触媒などのような遷移金属の酸化物系触媒、白金族系酸化触媒、これらを組み合わせた触媒などからなる既存の坦持触媒あるいは混合触媒などが使用され、脱硝処理が行われる。触媒の形状は、粒状、ペレット状、ハニカム状などを使用できるが、圧力損失や、導入される排ガスの流量や流速、触媒反応の効率の良さなどから、ハニカム形状やペレット形状などを選択することが好ましい。また、脱硝反応の温度は、２００〜３００℃となるように制御することが好ましい。
【００４３】
（６）排出工程
集塵装置５あるいは脱硝装置から排出された排ガスは、煙突部６に導入される。上記の各工程（１）〜（５）によって清浄化されたガスとして、給送ファンＦによって煙突部６を介して排出される。なお、こうした排ガスは、清浄化されていることから、集塵装置５におけるブローバック用ガスや各処理部のパージ処理用ガスとして、再利用することができる。
【００４４】
＜リン導入量とダスト導入量の制御について＞
以上の検証結果から、本装置におけるリン化合物の最適な導入量（リン導入量およびダスト導入量）を設定することが可能となる。つまり、捕集されたダストによる循環系の形成は、リン化合物Ｐのみを導入する場合に比較してリン成分含有量（リン濃度）の低い循環ダストが導入されることから、凝集機能を低下させることにつながる。このとき、リン導入量を増加させると、ダスト中のリン濃度が増加し、リン大粒径ダストが増加するためにダスト導入量が増加することから、導入されるリン化合物総量は、実質的にリン導入量の増加量を超える大きな増加量となる。一方、リン導入量が一定条件でダスト導入量を増加させると、見かけのリン化合物総量の導入量は増加するが、ダストの増量は、増量前の粒径よりも小さな粒径のダスト（リン濃度が低い）の増量となり、導入されるリン化合物総量は、実質的にリン導入量の増加量に比較して小さな増加量となる。このようにリン導入量とダスト導入量の制御は、要求される制御精度や応答速度に加え、新たなリン化合物Ｐの消費量に対応して調整することが可能である。
【００４５】
また、リン導入量とダスト導入量の制御においては、その指標の選択も重要となる。上記の例によれば、リン導入量の増加の影響は、捕集されたダストの粒径分布の変化として表れ、その粒径分布の変化がダスト導入量にも影響することとなる。つまり、捕集されたダストの粒度分布は、本装置の制御を担う重要な指標といえる。例えば、集塵装置５において捕集されたダストの性状（粒度分布）を指標とした場合であって、かかる指標からリン化合物の導入量が不足していると判断できる場合、つまり、例えば所定の設定値（閾値）よりも小粒径ダスト量が多いあるいは「大粒径ダスト量／小粒径ダスト量」が小さい等の場合には、これらを指標としてリン化合物の導入量を増加し、最適条件となるように調整（制御）する。
【００４６】
具体的には、例えば、以下の手順によってリン導入量およびダスト導入量を制御する。
（ｉ）初期において、予め設定されたリン化合物Ｐの導入量Ｐｏによって稼働し、その時の集塵装置５の圧力損失あるいは捕集されたダストの粒度分布等の指標（後述）から、適正なリン導入量Ｐａを調整する。
（ii）集塵装置５に所定量のダストが捕集された状態で、予め設定された粒径のダスト（粒径領域）を取出し所定の粒度となるように粉砕し、予め設定されたダスト導入量Ｄｏのダストを導入する。
（iii）ダスト導入量Ｄｏのダスト中のリン成分の量に相当するリン化合物Ｐの量Ｐｄを算出し、リン導入量を（Ｐａ−Ｐｄ）に調整する。
（iｖ）その時の集塵装置５の圧力損失あるいは捕集されたダストの粒度分布等から、適正なリン導入量Ｐｂを調整する。
上記(ii)〜（iｖ）を繰り返し行い、最適のリン導入量およびダスト導入量を調整する。
【００４７】
〔捕集されたダストの粒度分布を指標とする場合〕
本装置においては、集塵装置５下部に粒度測定器（図示せず）を備え、集塵装置５から供出されるダストの粒度分布を測定し、その測定結果を用いて、つまり捕集されたダストの粒度分布を指標として、リン導入量およびダスト導入量を制御することが好ましい。上記のように、捕集されたダストの粒度分布は、排ガスに導入されたリン化合物による凝集機能を測る指標であり、大粒径ダストの生成量が少ない時は、リン導入量の増量が必要である。一方、凝集されたダストにおいては、大粒径ダストほどリン成分が多く、循環させるダストを選択する指標であり、ダスト導入量の指標となる。つまり、循環するリン成分を量的に確保するためには、循環するダストの粒径閾値を変動させることによって調整することができる。リン導入量を略固定し、ダスト導入量による調整を主とする制御方法において適している。逆に、ダスト導入量を略固定し、リン導入量による調整を主とする制御方法においては、循環させるダストが安定したリン成分を含む（所定の粒径以上のダストが所定量以上となる）ように、ダストの粒径分布と所定粒径以上のダストの量をリン導入量の指標とすることができる。循環するダストのリン濃度を確保することができる。
【００４８】
さらに、こうした捕集されたダストの粒度分布を指標とする方法であっては、
（ｄ１）予めリン化合物が導入されたダスト中のリン成分の含有量ｖｓ粒径領域を測定し、これと（ｄ２）ダストの粒度分布から、（ｄ３）ダスト中のリン成分の含有量×ダスト量（特定粒径領域のリン総量）を算出し、これを指標として、リン導入量およびダスト導入量を制御することが好適である。つまり、リン化合物の導入によって生成するダストは、粒度に対する重量の分布（粒度分布）が変化するとともに、粒度に対するリン成分（ここでは「リン濃度分布」という）の分布も変化することから、リン化合物による凝集機能を精度よく定量的に制御するには、両者の変動に追随した調整が必要となる。このとき、リン導入量は、制御量そのものである一方、燃焼処理される対象物の供給量や性状が変動する稼働状態において循環系が形成された場合には、燃焼設備１からの排ガス中の粒度分布および循環系に導入されるダスト中のリン成分の含有量を直接測定することは困難である。しかしながら、上記検証の結果、特定量のリン化合物が導入されて凝集されたダスト中のリン成分の含有量と粒径領域は、ほぼ一定の関係にあり、予め測定することができる。従って、実測のダストの粒度分布とから算出された粒度に対する「ダスト中のリン成分の含有量×ダスト量」を求め、循環されたダストの粒度範囲との積から得られた「特定粒径領域の総量」は、リン導入量と同視できるダスト導入量を代表する制御値（指標）となる。つまり、捕集されたダストの粒度分布を基に算出された「特定粒径領域の総量」とリン導入量の加算値は、燃焼設備から排出される排ガスに導入するリン化合物の総量となり、これを指標とすることによって、より精度の高い制御が可能となる。
【００４９】
〔ろ過式集塵装置における圧力損失を指標とする場合〕
本装置において、集塵装置５としてろ過式集塵装置を用い、ろ過式集塵装置に圧力測定器を設け（図示せず）、集塵装置５に導入され供出される所定量の排ガスの圧力損失を測定するとともに、該測定結果を用いて、リン導入量およびダスト導入量を制御することが好適である。また、上記捕集されたダストの粒度分布を指標とする制御方法と組み合わせ、一方を主たる制御として粗調整を行い、他方を従たる制御として微調整する制御方法も可能である。あるいは、始動時あるいは緊急時に圧力損失を指標とする制御方法を適用し、常時は粒度分布を指標とする制御方法を適用することも可能である。リン化合物Ｐの導入による本装置における排ガス中のダストによる圧力損失の低減効果増大を確認することができる。また、実測の圧力損失量を基に、リン導入量およびダスト導入量を制御することによって、廃棄物の性状等燃焼対象物Ｍの性状によって変動する排ガス処理効果をより効果的に機能させることができる。
【符号の説明】
【００５０】
１    燃焼設備
２ａ  ボイラ
２ｂ  節炭器
３    減温塔
４    中和処理部
４１  薬剤導入部
５    集塵装置
６    煙突部
７    廃棄物投入ホッパー
８    循環流路
９    制御部
Ｄａ，Ｄｂ  ダスト
Ｄ１  ダスト導入部
Ｄ２  ダスト制御機構
Ｅ    清浄化されたガス
Ｆ    給送ファン
Ｍ    燃焼対象物
Ｎ    中和剤
Ｐ    リン化合物（リンまたはリン化合物）
Ｐ１  リン導入部
Ｐ２  リン制御機構
Ｓ    焼却残渣等
【図１】
2016043315.tif 000003
【図２】
2016043315.tif 000004
【図３】
2016043315.tif 000005
【図４】
2016043315.tif 000006
【図５】
2016043315.tif 000007